(57)【要約】  本発明による電気応用機器の待機電力減少装置は、外部電源に連結され、上記外部電源を第１チャンネルを介して電気応用機器に供給し、上記電気応用機器（electronic  application）を動作させる動作信号を上記電気応用機器に送信して上記電気応用機器を動作させ、上記第１チャンネルを介した電気応用機器への外部電源の供給を遮断する始動スイッチ；及び、上記電気応用機器と第２チャンネルにより連結され、動作している上記電気応用機器から送信される電源維持制御信号を受信すれば、上記外部電源を上記第２チャンネルを用いて上記電気応用機器へ供給し、上記電源維持制御信号を受信しなければ、上記第２チャンネルを介した上記電気応用機器への外部電源の供給を遮断する電源維持スイッチ；を含むことを特徴とする。  従って、一回のスイッチ操作だけで電気応用機器に電源を連結すると共に電気応用機器を動作させ、コンピュータが動作状態から待機状態になれば、電源を自動で遮断させて電力不消耗状態に切り換えることができるため、待機状態（standby）の最小化により待機電力を遮断して待機電力を最小化することができる。
2011507470.tif 000002
【特許請求の範囲】
【請求項１】
１個以上のプラグソケットを備えるコンセントを含み、上記コンセントを制御する電気応用機器の待機電力減少装置において、
上記プラグソケットの電力を断続する信号である断続制御信号を送信する信号送信装置を含み、
上記コンセントは、
１個以上のプラグソケットを備えるプラグソケット部；
上記信号送信装置と通信する通信部；及び、
上記信号送信装置から上記断続制御信号を受信し、上記断続制御信号に基づいて上記プラグソケットの電力を断続する制御部；を含むことを特徴とする電気応用機器の待機電力減少装置。
【請求項２】
上記信号送信装置は、上記断続制御信号を生成可能な応用プログラムが実行される個人用コンピュータを含むことを特徴とする請求項１に記載の電気応用機器の待機電力減少装置。
【請求項３】
上記信号送信装置は、携帯用記憶装置を含み、上記携帯用記憶装置に保存されている断続制御信号及び断続制御信号送信時刻を参照して上記断続制御信号を上記コンセントに送信することを特徴とする請求項１に記載の電気応用機器の待機電力減少装置。
【請求項４】
上記携帯用記憶装置は、ＳＤメモリカード、ミニＳＤメモリカード、ＭＭＣメモリカード及びＣＦメモリカードを含むことを特徴とする請求項１に記載の電気応用機器の待機電力減少装置。
【請求項５】
上記信号送信装置と上記コンセントの通信部とは、ＵＳＢケーブルによって連結されることを特徴とする請求項３に記載の電気応用機器の待機電力減少装置。
【請求項６】
上記断続制御信号及び断続制御信号送信時刻は、暗号化されて上記携帯用記憶装置に記録されることを特徴とする請求項３に記載の電気応用機器の待機電力減少装置。
【請求項７】
上記プラグソケット部は、２個以上のプラグソケットを備え、
上記断続制御信号は、上記２個以上のプラグソケットのうち１個以上のプラグソケットを制御対象とすることを特徴とする請求項１に記載の電気応用機器の待機電力減少装置。
【請求項８】
上記信号送信装置は、
客体の存在を感知可能な客体感知センサを備え、所定の時間の間における客体の存否に基づいて上記断続制御信号を生成して送信することを特徴とする請求項１に記載の電気応用機器の待機電力減少装置。
【請求項９】
２個以上のプラグソケットを備えるコンセントを含み、上記コンセントを制御する電気応用機器の待機電力減少装置において、
上記電気応用機器の待機電力減少装置は、上記２個以上のプラグソケットのうち何れか一つのプラグソケットと連動して動作する、上記２個以上のプラグソケットのうちの他のプラグソケットのプラグソケット情報を含む連動情報を上記コンセントへ送信する連動情報送信装置を含み、
上記コンセントは、
２個以上のプラグソケットを備えるプラグソケット部；
上記何れか一つのプラグソケットの電流を検出し、上記電流が検出されない場合は、遮断信号を生成する電流検出部；
上記連動情報送信装置と通信する通信部；及び、
上記連動情報及び上記遮断信号を受信して上記他のプラグソケットの電力を遮断する制御部；を含むことを特徴とする電気応用機器の待機電力減少装置。
【請求項１０】
上記連動情報送信装置は、上記連動情報を生成可能な応用プログラムが実行される個人用コンピュータを含むことを特徴とする請求項９に記載の電気応用機器の待機電力減少装置。
【請求項１１】
上記連動情報送信装置は、携帯用記憶装置を含み、上記携帯用記憶装置に保存されている連動情報を上記コンセントに送信することを特徴とする請求項９に記載の電気応用機器の待機電力減少装置。
【請求項１２】
上記連動情報送信装置と上記コンセントの通信部とは、ＵＳＢケーブルによって連結されることを特徴とする請求項９に記載の電気応用機器の待機電力減少装置。
【請求項１３】
上記携帯用記憶装置は、ＳＤメモリカード、ミニＳＤメモリカード、ＭＭＣメモリカード及びＣＦメモリカードを含むことを特徴とする請求項１１に記載の電気応用機器の待機電力減少装置。
【請求項１４】
上記断続制御信号及び断続制御信号送信時刻は、暗号化されて上記携帯用記憶装置に記録されることを特徴とする請求項１１に記載の電気応用機器の待機電力減少装置。
【発明の詳細な説明】
【技術分野】
【０００１】
本発明は、外部電源を用いる電気応用機器製品の使用時、機器のスイッチを切っておいたとしても所定の待機電力が消耗されるが、上記所定の待機電力が消耗されることなく上記電気応用機器の使用を可能にする技術に関する。
【背景技術】
【０００２】
待機電力（Standby  power）とは、電源の切れている状態でも電気製品で消費される電力のことを言う。即ち、電気機器の動作有無を問わずユーザーが認識していない間に消耗される電気エネルギーのことである。電気を捕食するという意味で電気吸血鬼（power  vampire）とも言う。
【０００３】
待機電力問題の解決策としては、使用していない電気製品のプラグを抜いたりマルチタップ（multi  tap）を使用したりする方法がある。マルチタップのスイッチを切れば、プラグを抜くのと同じ効果が得られるためである。
【０００４】
リモコンにより作動され、作動状態を知らせるディスプレイ装置が装着された電子製品の増加につれて、待機電力消費も増える趨勢にある。複写機やビデオレコーダは全使用電力の８０％が待機電力と推定される。コンピュータ、モニタ、プリンタ、ファクシミリ、洗濯機、エアコン、テレビ、ＤＶＤプレーヤ、電子レンジ、携帯電話充電器などが待機電力を多く消費する。
【０００５】
国際エネルギー機関は、経済協力開発機構（ＯＥＣＤ）会員国の場合、１世帯当たり電力消費量の１０％である６０ワット（Ｗ）が待機電力であることと推定している。米国は５％と少ない方であるが、金額は毎年約１３億ドルに達する。このような深刻な待機電力問題の解決のために、国際エネルギー機関は２０１０年までに全ての電子製品の待機電力を１ワット以下に減らすよう世界各国へ勧告している。
【０００６】
コンピュータの場合は、外部電源と連結された状態では待機電力が必要で、上記待機電力によりコンピュータはスタンバイ状態を維持し、上記スタンバイ状態でプッシュスイッチ等により信号をメインボードへ送信してこそ、コンピュータは点いて作動するようになる。
【０００７】
コンピュータを終了する時も同様に、スタンバイ状態へ復帰し、外部電源は依然としてコンピュータに連結され、上記スタンバイ状態を維持するために所定の待機電力を消耗することになる。
【０００８】
本発明に該当する電気応用機器は、コンピュータ又はテレビなどを含み、電力不消耗状態、待機状態及び動作状態を有することを前提とする。
【０００９】
即ち、テレビやコンピュータ本体の電源プラグが抜けていたり待機電力を全く消耗しない状態を電力不消耗状態ということにする。電力不消耗状態は電力が全く供給されない状態である。
【００１０】
待機状態とは、所定の電力が供給されてテレビやコンピュータ本体がリモコン開始信号やコンピュータの開始信号を受けることができるように待機する状態である。又は、テレビの電源スイッチは通常プッシュスイッチであり、短絡信号を作ってテレビへ送信すればテレビが動作し始めるが、このような短絡信号の受信を待機する状態を待機状態ということにする。即ち、電源スイッチの短絡信号、リモコン開始信号を受信するための信号受信部や、コンピュータの開始信号を受信するメインボードの信号受信部を作動させなければならないため、所定の待機電力が消耗されるようになる。しかし、まだ電気応用機器の本然の機能を遂行する前であるため、電気応用機器の動作は行われていない状態である。
【００１１】
動作状態とは、コンピュータのＯＮスイッチを押した後の状態、又はテレビのリモコンなどでＯＮスイッチを押してテレビが点いている状態を言う。
【００１２】
マルチタップと呼ばれる１個以上のプラグソケットを有するコンセントに差し込まれている電子電気製品のプラグへ流れ出る待機電力を遮断するためには、ユーザーは一つ一つ各プラグソケットに差し込まれているプラグを抜くか、各プラグソケットに設けられているスイッチを押して待機電力の消耗を遮断しなければならない。
【００１３】
電気応用機器に外部電源が連結されている状態では、電気応用機器を点ける前及び電気応用機器を消した後にも電気応用機器（例えば、コンピュータなど）で消耗されるスタンバイ状態維持用消耗電力が発生する。このような点は、経済的な浪費であるばかりか、漏電などに因る火災の危険性を増加させる恐れがある。
【発明の概要】
【発明が解決しようとする課題】
【００１４】
本発明は、上記した問題点を解消するために案出されたもので、本発明の目的は、上記待機電力を遮断できる方法及び装置を提供することにある。
【００１５】
また、本発明のもう一つの目的は、１個以上のプラグソケットを有するコンセントで消耗される待機電力をなくし、上記コンセントに連結される電源をより効果的に制御するための装置を提供することにある。
【課題を解決するための手段】
【００１６】
上記目的を達成するための本発明の第１観点による電気応用機器の待機電力減少装置は、
１個以上のプラグソケットを備えるコンセントを含み、上記コンセントを制御する電気応用機器の待機電力減少装置において、
上記プラグソケットの電力を断続する信号である断続制御信号を送信する信号送信装置を含み、
上記コンセントは、
１個以上のプラグソケットを備えるプラグソケット部；
上記信号送信装置と通信する通信部；及び、
上記信号送信装置から上記断続制御信号を受信し、上記断続制御信号に基づいて上記プラグソケットの電力を断続する制御部；を含むことを特徴とする。
【００１７】
ここで、上記信号送信装置は、上記断続制御信号を生成可能な応用プログラムが実行される個人用コンピュータを含むことを特徴とする。
【００１８】
望ましくは、上記信号送信装置は、携帯用記憶装置を含み、上記携帯用記憶装置に保存されている断続制御信号及び断続制御信号送信時刻を参照して上記断続制御信号を上記コンセントに送信することを特徴とする。
【００１９】
また、上記携帯用記憶装置は、ＳＤメモリカード、ミニＳＤメモリカード、ＭＭＣメモリカード及びＣＦメモリカードを含むことを特徴とする。
【００２０】
上記信号送信装置と上記コンセントの通信部とは、ＵＳＢケーブルによって連結されることを特徴とする。
【００２１】
上記断続制御信号及び断続制御信号送信時刻は、暗号化されて上記携帯用記憶装置に記録されることを特徴とする。
【００２２】
上記プラグソケット部は、２個以上のプラグソケットを備え、
上記断続制御信号は、上記２個以上のプラグソケットのうち１個以上のプラグソケットを制御対象とすることを特徴とし、
上記信号送信装置は、
客体の存在を感知可能な客体感知センサを備え、所定の時間の間における客体の存在に対する感知状態に基づいて上記断続制御信号を生成して送信することを特徴とする。
【００２３】
上記目的を達成するための本発明の第２観点による電気応用機器の待機電力減少装置は、
２個以上のプラグソケットを備えるコンセントを含み、上記コンセントを制御する電気応用機器の待機電力減少装置において、
上記電気応用機器の待機電力減少装置は、上記２個以上のプラグソケットのうち何れか一つのプラグソケットと連動して動作する、上記２個以上のプラグソケットのうちの他のプラグソケットのプラグソケット情報を含む連動情報を上記コンセントへ送信する連動情報送信装置を含み、
上記コンセントは、
２個以上のプラグソケットを備えるプラグソケット部；
上記何れか一つのプラグソケットの電流を検出し、上記電流が検出されない場合は、遮断信号を生成する電流検出部；
上記連動情報送信装置と通信する通信部；及び、
上記連動情報及び上記遮断信号を受信して上記他のプラグソケットの電力を遮断する制御部；を含むことを特徴とし、
上記連動情報送信装置は、上記連動情報を生成可能な応用プログラムが実行される個人用コンピュータを含むことを特徴とし、
上記連動情報送信装置は、携帯用記憶装置を含み、上記携帯用記憶装置に保存されている連動情報を上記コンセントに送信することを特徴とする。
【００２４】
また、上記連動情報送信装置と上記コンセントの通信部とは、ＵＳＢケーブルによって連結されることを特徴とする。
【００２５】
上記携帯用記憶装置は、ＳＤメモリカード、ミニＳＤメモリカード、ＭＭＣメモリカード及びＣＦメモリカードを含むことを特徴とする。
【００２６】
上記断続制御信号及び断続制御信号送信時刻は、暗号化されて上記携帯用記憶装置に記録されることを特徴とする。
【発明の効果】
【００２７】
本発明によれば、一回のスイッチ操作だけで外部電源を電気応用機器に供給して電気応用機器を待機状態にすると共に、動作状態へ直ぐに切り換えることができる。即ち、一回の始動スイッチ操作で電力不消耗状態から待機状態を経て動作状態にすることができるという効果がある。
【００２８】
また、電気応用機器がユーザーの操作によって動作状態から待機状態になる場合も、電源維持制御信号の消滅による第２チャンネルを介した外部電源の遮断によって待機状態をなくすことができる。従って、電気応用機器の待機状態（standby）が維持されることによる待機電力を遮断して待機電力を最小化できる。
【００２９】
更に、コンピュータなどを通して１個以上のプラグソケットを有するコンセントを制御して電源を遮断でき、電源を遮断する時刻などの日程もコンピュータの応用プログラムを通してより便利に定めることができる。このような電源制御信号及び日程情報は携帯用メモリに保存し、このメモリをコンセントの携帯用メモリソケットに挿入してコンセント電源制御日程をより簡便に制御できるようになる。
【図面の簡単な説明】
【００３０】
【図１】本発明による電気応用機器の待機電力減少装置の構成図を示している。
【図２】本発明による電気応用機器の待機電力減少装置の構成図を示している。
【図３】本発明による電気応用機器の待機電力減少装置の他の実施例の構成図を示している。
【図４】本発明の一実施例による回路図を示している。
【図５】本発明の一実施例による回路図を示している。
【図６】本発明の一実施例における個人用コンピュータ、客体感知センサ及び待機電力減少装置を示している。
【図７】図６の個人用コンピュータで実行される応用プログラムの一実施例を示している。
【図８】本発明の一実施例による回路図を示している。
【図９】本発明の他の実施例による回路図を示している。
【図１０】本発明によるコンピュータ待機電力減少装置の始動スイッチ部分の一実施例を示している。
【発明を実施するための形態】
【００３１】
添付図面を参照しながら本発明の実施のための具体的な内容を一実施例に基づいて説明する。
【００３２】
図１は、本発明による電気応用機器の待機電力減少装置の構成図を示している。図１は、外部電源１００、始動スイッチ２００、電源維持スイッチ３００、電気応用機器４００及びコンセント５００を含む。上記電気応用機器４００は、応用機器部４１０、電源装置部４２０及び電気応用機器内部電源部４３０を含む。
【００３３】
外部電源は家庭用ＡＣ電源であり得る。外部電源１００から供給される電源は、始動スイッチを介して上記電気応用機器の電源装置部へ第１チャンネルを通して入力される。始動スイッチ２００はプッシュスイッチであり得る。始動スイッチがオンになれば、上記電気応用機器の電源装置部へ電源が供給されると共に、応用機器部４１０に動作信号が伝達されるようになる。応用機器部の動作信号受信部が上記動作信号を受信するようになる。始動スイッチがオンになれば、電気応用機器は電力不消耗状態から待機状態（standby）になり、動作信号の伝達を受けて待機状態から動作状態へと変わる。従って、始動スイッチがオンになって待機状態になると共に、電気応用機器は動作状態になる。電気応用機器が動作されれば、電気応用機器内部電源部４３０に電源が入るようになる。電気応用機器に周辺機器を連結する電気応用機器内部電源部は、電力不消耗状態又は待機状態では他への電源供給が不可能であるが、動作状態では他への電源供給が可能な均等物を全て含む。コンピュータの場合、上記周辺機器を作動させるための電源供給端子を例に挙げることができる。具体的には、ＰＣＩスロットであり得、ＰＣＩスロットには１２Ｖなどの電圧電源が提供される。このような電気応用機器内部電源部からの出力が、外部電源の供給を維持させるために電気応用機器が送信する電源維持制御信号となる。上記電源維持制御信号は、動作状態でのみ出力されて送信される。
【００３４】
電気応用機器内部電源部４３０から提供される電源を本発明では電気応用機器内部電源と言う。電気応用機器内部電源は、電源維持スイッチ３００の入力端子に連結される。電源維持スイッチの入力端子に上記電気応用機器内部電源が入力されれば、電源維持スイッチが直ちに作動するようになる。電源維持スイッチが作動すれば、外部電源１００と電源装置部４２０とが第２チャンネルによって相互連結されて、電気応用機器に電力が供給されるようになる。
【００３５】
電源維持スイッチは、ソレノイドを用いたリレー、トライアック（triac）又はＳＳＲで具現され得る。
【００３６】
即ち、上記始動スイッチを作動させて短い時間の間、電源を第１チャンネルに供給して電気応用機器を待機状態にした後、直ちに動作信号を送って電気応用機器を動作させた後、上記動作状態にある電気応用機器の内部電源により電源維持スイッチを作動させて第２チャンネルを介して電源装置部へ電力を供給する。従って、一旦電気応用機器が作動されて電源維持スイッチが作動される状態ならば、上記始動スイッチが再びオフになって第１チャンネルを介した外部電源の供給が遮断されるとしても、第２チャンネルを介した電源の供給が維持され続けるため、一度動作された電気応用機器は作動され続ける。
【００３７】
一方、電気応用機器の作動中にコンピュータ運営体制の終了又はテレビＯＦＦ信号の受信などによって電気応用機器が動作状態から待機状態へと切り換えられる場合がある。このような場合、電気応用機器は待機状態（standby）へ進入して待機電力を消耗するようになる。即ち、電気応用機器は開始信号を受信するために待機電力を消耗するようになるのである。しかし、本発明では電気応用機器が動作を停止すると、待機状態へと切り換えられるにとどまらず、電気応用機器の内部電源の遮断によって電源維持制御信号が消滅し、電源維持スイッチが不活性化され、第２チャンネルを介した外部電源の供給が遮断されるようになる。従って、電気応用機器が動作状態を終えると、待機状態を経ずに直ちに電力不消耗状態へと遷移することになるため、電気応用機器本体へ供給されて消耗される待機電力を遮断できるのである。
【００３８】
始動スイッチによる電源の供給は、電気応用機器の動作状態で、電気応用機器の内部電源が電源維持スイッチに入力され電源維持スイッチが作動され上記電気応用機器に第２チャンネルを介して外部電源が供給される時点以後になされることが望ましい。
【００３９】
上記電気応用機器は別途の補助コンセントを更に備え得る。上記補助コンセントは、電気応用機器の周辺機器の外部電源供給用として用いられ得る。上記補助コンセントは、電源維持スイッチから第２チャンネルを介して外部電源の供給を受ける。より望ましくは、コンセント５００は客体感知センサ部５１０を備える。客体感知センサ部は、コンセントの周囲における人の存否を判断し、人が存在する場合にだけ上記外部電源を上記コンセントへ供給する。上記客体感知センサ部が備えられたコンセントを含む待機電力減少装置は、オーディオシステム、プリンタ又はモニタなどの周辺機器の電源をより効果的に制御して待機電力を更に減少させることができる。
【００４０】
また、始動スイッチも客体感知センサを備え、上記客体感知センサが客体の存在を感知すれば、上記外部電源を上記第１チャンネルを介して上記電気応用機器に連結して上記電気応用機器を電力不消耗状態から待機状態へ切り換え、上記動作信号を上記電気応用機器に送信して上記電気応用機器を上記待機状態から動作状態へ切り換える。かかる構成により、ユーザーが上記客体感知センサの周囲に現れた場合は、自動で電気応用機器を動作させることができ、ユーザーが上記客体感知センサの周囲からいなくなった場合は、自動で電気応用機器の動作を停止させて待機電力を遮断できる。
【００４１】
図２は、本発明による電気応用機器の待機電力減少装置の構成図を示している。図２に示す待機電力減少装置は、外部電源１００、コンセント５００、制御部６００、通信部７１０及び信号送信装置７２０を含む。
【００４２】
図３は、本発明による電気応用機器の待機電力減少装置の他の実施例の構成図を示している。図３に示す待機電力減少装置は、コンセント５００、制御部６００、外部電源１００、外部メモリソケット７３０及び外部メモリ７４０を含む。
【００４３】
信号送信装置７２０により、コンセント５００のそれぞれのプラグソケットに連結される電源を遮断／連結する断続信号を上記制御部に送信できる。上記断続信号を受信する制御部は、上記断続信号に従ってコンセントに電源を連結したり遮断したりする。信号送信装置は、信号をユーザーの入力に従って送信したり、予め決められた断続信号送信スケジュールに合わせて断続信号を送ることができる。信号送信装置７２０は、上記断続信号を所定の時刻に合わせて送信する所定の応用プログラムが実行される個人用コンピュータであり得る。
【００４４】
信号送信装置７２０は、断続信号を送信可能な応用プログラムが実行されるコンピュータであり得るが、電源の断続信号及び断続時刻の情報が保存されている携帯用記憶装置７４０でもあり得る。即ち、ＳＤメモリカード、ＭＭＣメモリカード又はＣＦメモリカードなどに上記断続信号関連情報を保存する。例えば、上記ＳＤメモリカードを制御部が読み取れるように外部メモリソケット７３０を備え、制御部６００は上記ＳＤメモリカードに保存されている上記電源断続信号情報を読み取り上記電源断続信号情報に基づいて上記コンセントに対する外部電源の断続を制御する。
【００４５】
断続信号情報は暗号化されて携帯用記憶装置に保存されることができるが、このような場合、コンセントのプラグソケットで電力が無断で使用されることを事前に防ぐことができる。
【００４６】
図４は、本発明による電気応用機器の待機電力減少装置のもう一つの実施例の構成図を示している。図４に示す待機電力減少装置は、コンセント５００、外部電源１００、制御部６００、電流検出部６１０、通信部７１０及び連動情報送信装置７５０を含んでいる。連動情報送信装置は、２個以上のプラグソケット５１０，５２０，５３０を含むコンセント５００の何れか一つのプラグソケット５１０と、残りのプラグソケット５２０，５３０のうちの何れかのプラグソケットとを連動させるかに関する情報を含む連動情報を生成し送信する。このような連動情報は、コンピュータ上でユーザーの入力を受けて生成され得る。一実施例として、プラグソケット５１０とプラグソケット５２０とが相互連動されるべき場合、連動情報送信装置は、上記プラグソケット５１０とプラグソケット５２０とを連動するという連動情報をコンセントの通信部へ送信する。
【００４７】
一方、電流検出部６１０はコンセントの各プラグソケットの電流を検出して制御部へ検出結果を送る。制御部は、プラグソケット５１０の電流が検出される場合にだけプラグソケット５２０の電力を維持させ、プラグソケット５１０の電流が検出されない場合は、プラグソケット５２０の電力を遮断する。かかる電流検出の基準は、上記プラグソケットに連結される電気応用機器の種類によって変わり得る。このような連動情報送信装置を備えたコンセントによって、より便利に各プラグソケットを連動させることができる。連動情報送信装置とコンセントの通信部とがＵＳＢケーブルで連結可能な場合、ユーザーの便宜性がより増すであろう。
【００４８】
図５は、図４に示した本発明のもう一つの実施例の構成図を示している。図５は、図４とは異なり、外部メモリ７４０を含む外部メモリソケット７３０を含んでいる。汎用的な外部メモリであるＳＤカードなどに連動情報などを記録して上記連動情報が通信部７１０を介して制御部６００へ伝達されるようになる。即ち、図４に示す上記連動情報送信装置は、連動情報を生成可能な応用プログラムが実行されるコンピュータであり得るが、図５に示すように連動情報が保存されている携帯用記憶装置７４０でもあり得る。外部メモリとしてのＳＤメモリカード、ＭＭＣメモリカード又はＣＦメモリカードなどに上記連動情報を保存する。
【００４９】
図６は、本発明の具体的な実施例のうち連動情報送信装置及び信号送信装置がコンピュータにより実行される応用プログラムを含む場合を示している。連動情報送信装置及び信号送信装置は、個人用コンピュータ９３０によって具現され、客体感知センサ９２０が待機電力減少装置９４０に連結されている。制御部、電流検出部及び通信部は、上記待機電力減少装置に含まれる。
【００５０】
客体感知センサにより客体の存在が一定時間感知されない場合は、上記コンピュータの応用プログラムで設定された時間及びプラグソケットを参照して該当プラグソケットの電力を遮断する。また、上記コンピュータの応用プログラムで設定されたプラグソケットは、相互連動して待機電力を遮断できる。
【００５１】
図７は、図６の個人用コンピュータで実行される応用プログラムの一実施例を示している。図７では、連動モードはオンにされ、メインのソケット口と連動されるプラグソケットとして第２口、第３口及び第５口が指定されている。また、客体感知センサを用いた自動電力遮断モードもオンにされ、第２口、第３口及び第５口は５分間客体が感知されなければ電力遮断信号を送信するようになる。
【００５２】
以下、電気応用機器がコンピュータである場合の一実施例を説明する。
【００５３】
図８は、本発明の一実施例による回路図を示している。外部電源８０１にＡＣ２２０Ｖが入力されるが、まだ待機電力は消耗されていない状態である。これは、始動スイッチ８０５がオフになっているためである。ユーザーがコンピュータを使用するために始動スイッチ８０５をオンにすると、抵抗Ｒ３（８１８）とダイオードＤ１〜Ｄ４（８１９〜８２１，８１４）に電源が供給され、この時キャパシタＣ１（８１１）の両端に１２Ｖがかかる。同電圧は、リレーＲＬ３（８０７）とリレーＲＬ４（８０８）に電源を供給し、リレーＲＬ３（８０７）とリレーＲＬ４（８０８）がオンになると共に、第１出力電源８０２と第２出力電源（８０３）に２２０Ｖが出力される。第２出力電源は、コンピュータメインボードに電源を供給する。リレーＲＬ４（８０８）がメインボード開始信号受信部８０４に開始信号を送信してメインボードを動作させる。メインボードが動作されてコンピュータがオンになると共に、コンピュータのＰＣＩ端子から１２Ｖの電源が出力され、１２Ｖの内部電源はリレーＲＬ１（８０９）とリレーＲＬ２（８０６）に電源を供給して第１出力電源８０２と第２出力電源８０３に２２０Ｖの電源を維持する。従って、始動スイッチ８０５が再びオフになってもリレーＲＬ１（８０９）が動作するため、第２出力電源に連結されたコンピュータに外部電源を供給し続けることができるようになる。第１出力電源８０２は、モニタなどその他周辺機器が連結される補助電源口である。
【００５４】
一方、ユーザーの運営体制を終了する等の操作によりコンピュータをオフにすると、コンピュータ内部の電源がスタンバイ状態に切り換わってＰＣＩ端子から出力される内部電源が遮断される。従って、リレーＲＬ１（８０９）とリレーＲＬ２（８０６）が作動しなくなるため、第１出力電源８０２と第２出力電源８０３の２２０Ｖの電源が０ＦＦになって全ての出力電源が遮断される。この時、待機電力は０Ｗとなる。
【００５５】
図９は、本発明の具体的な他の実施例を示している。即ち、リレーＲＬ２（８０６）の制御入力端子は、コンピュータの内部電源であるＰＣＩ電源及び別途のスイッチ回路に連結されている。上記別途のスイッチ回路は、所定のコンピュータで実行されるモニタ節電プログラムから出力されるモニタ電源断続信号を利用できる。従って、コンピュータ内部電源が遮断されなくても、モニタ節電プログラムによりモニタをオフさせると共に、上記リレーＲＬ２（８０６）の制御入力を遮断してリレーＲＬ２をオフさせることができる。即ち、モニタ節電プログラムの出力によりモニタ電源が遮断されれば、上記リレーＲＬ２（８０６）が作動されないようにすることができるため、上記第１出力電源８０２をモニタ電源として使用すれば、モニタの節電プログラムによってモニタの待機電力をなくすことができる効果も達成できる。
【００５６】
図１０は、本発明によるコンピュータ待機電力減少装置の始動スイッチ部分の一実施例を詳しく示している。
【００５７】
コンピュータを点けるために始動スイッチをオンにすると、ＡＣ２２０Ｖの電源の電流が抵抗Ｒ１（８１６）、抵抗Ｒ２（８１７）、抵抗Ｒ３（８１８）及びキャパシタＣ３（８１５）を通過してダイオードＤ１（８１９）、Ｄ２（８２０）、Ｄ３（８２１）及びＤ４（８１４）に供給され、キャパシタＣ２（８１３）、抵抗Ｒ４（８１２）、キャパシタＣ１（８１１）にＤＣ１２Ｖが出力される。ここで出力される電圧は、Ｄ１（８１９）、Ｄ２（８２０）及びＤ３（８２１）によって決定される。このような１２Ｖの電源がリレーに入力されることにより、リレーＲＬ３及びリレーＲＬ４が作動されるようになるのである。しかし、始動スイッチを再びオフさせると、上記１２Ｖの電源が遮断されるようになる。従って、始動スイッチが再びオフになると、リレーＲＬ３とリレーＲＬ４に入力される電源が遮断されてリレーが作動しなくなる。しかし、上述の通り、上記始動スイッチが再びオフになる前にコンピュータ内部電源が上記リレーに供給されるため、リレーに入力される電源は維持され続けるようになる。
【符号の説明】
【００５８】
１００  外部電源
２００  始動スイッチ
３００  電源維持スイッチ
４００  電気応用機器
４１０  応用機器部
４２０  電源装置部
４３０  電気応用機器内部電源部
５００  コンセント
５１０  客体感知センサ部
６００  制御部
７１０  通信部
７２０  信号送信装置
７３０  携帯用外部メモリソケット
７４０  携帯用外部メモリ
【図１】
2011507470.tif 000003
【図２】
2011507470.tif 000004
【図３】
2011507470.tif 000005
【図４】
2011507470.tif 000006
【図５】
2011507470.tif 000007
【図６】
2011507470.tif 000008
【図７】
2011507470.tif 000009
【図８】
2011507470.tif 000010
【図９】
2011507470.tif 000011
【図１０】
2011507470.tif 000012
【国際調査報告】
2011507470.tif 000013
2011507470.tif 000014